【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
時計又は他の精密器械に使用するためのバランススプリングを作る方法であって、連続繊維又はセラミックから形成される、ある長さの非磁性バランススプリング材料を円柱状のフォーマのまわりに巻くステップと、その巻いたものの隣接する層が互いに付着することを抑制するように又は前記隣接する層が付着している互いからの解放を容易にするようにリリースエージェントを使用するステップと、巻かれた前記バランススプリング材料を熱処理するステップとを備えていることを特徴とするバランススプリングを作る方法。
【請求項２】
前記熱処理するステップの後に、前記アッセンブリが、前記フォーマの回転軸に垂直に間隔を置いて薄く切られ、複数の渦巻状のスプリングを形成することを特徴とする請求項１に記載の方法。
【請求項３】
前記リリースエージェントが、蒸発粒子の形態にて前記スプリング材料に適用されることを特徴とする請求項１又は２に記載の方法。
【請求項４】
前記リリースエージェントは、前記ある長さのスプリング材料とともに前記円柱状のフォーマのまわりに巻かれる固体シートの形態をしたスペーサ材料であり、前記スプリング材料の隣接する層が前記スペーサ材料により分離されることを特徴とする請求項１又は２に記載の方法。
【請求項５】
前記リリースエージェントが、ＰＴＦＥ、ＦＥＰ又はＥＴＦＥであることを特徴とする請求項１〜４のいずれか一に記載の方法。
【請求項６】
前記バランススプリング材料が、シートの形態をした、マトリックス相と予め含浸させた連続繊維材料であることを特徴とする請求項１〜５のいずれか一に記載の方法。
【請求項７】
前記のようにして形成される前記スプリングが、平らなアルキメデス螺旋の形態であることを特徴とする請求項１〜６のいずれか一に記載の方法。
【請求項８】
時計又は他の精密器械に使用するためのバランススプリングを作る方法であって、受容プレート、フォーマ又はマンドレルのまわりに、又はその内部に、あるいはその上に、ある長さの非磁性バランススプリング材料を配置するステップと、前記バランススプリング材料を熱処理するステップと、前記フォーマ、受容プレート又はマンドレルから前記バランススプリング材料を取り除き、平らなアルキメデスのバランススプリングを形成するステップとを備えていることを特徴とするバランススプリングを作る方法。
【請求項９】
前記フォーマ、受容プレート又はマンドレルは、前記バランススプリング材料を受容する溝部を有していることを特徴とする請求項８に記載の方法。
【請求項１０】
前記フォーマ、受容プレート又はマンドレルが、加熱されることを特徴とする請求項８又は９に記載の方法。
【請求項１１】
前記バランススプリング材料が、セラミック又はセラミック複合材料であることを特徴とする請求項８〜１０のいずれか一に記載の方法。
【請求項１２】
時計又は他の精密器械の機械式振動システムにおいて熱安定性を有する非磁性バランススプリングと連動して使用するための熱補償非磁性バランスホイールであって、異なる熱膨張係数を有する２つの異なる材料の構成要素を備え、前記構成要素が、前記バランスホイールと平衡するように、また、温度の増加とともに前記バランスホイールの慣性モーメントの減少を引き起こすように配置され、前記慣性モーメントの減少が、温度の増加により引き起こされる前記バランススプリングの弾性の変化を補償するように配置されることを特徴とする熱補償非磁性バランスホイール。
【請求項１３】
前記構成要素は、１つ若しくはそれ以上のクロスメンバを有するバランスホイールアームと、前記クロスメンバに取り付けられる又は前記クロスメンバと一体化されるリムと、を含むことを特徴とする請求項１２に記載のバランスホイール。
【請求項１４】
前記１つ若しくはそれ以上のクロスメンバが、第１の熱膨張係数を有する第１の材料から作られ、前記リムが、前記第１の熱膨張係数より大きい第２の熱膨張係数を有する第２の材料からなる凹状セグメントを備えていることを特徴とする請求項１３に記載のバランスホイール。
【請求項１５】
前記バランスホイールリムと前記１つ若しくはそれ以上のクロスメンバが、第１の熱膨張係数を有する第１の材料から形成され、前記バランスホイールが、前記リムの内部に、前記第１の熱膨張係数より大きい第２の熱膨張係数を有する、前記リムに対して異なる材料から形成される２つの凹状セグメントを更に備えていることを特徴とする請求項１３に記載のバランスホイール。
【請求項１６】
前記バランスホイールリムが、第１の熱膨張係数を有する第１の材料から形成され、前記第１の材料より大きい第２の熱膨張係数を有する第２の材料から形成される２つ若しくはそれ以上の部材が、前記リムに取り付けられ、そこから内方へ延びることを特徴とする請求項１３に記載のバランスホイール。
【請求項１７】
前記１つ若しくはそれ以上のクロスメンバが、第１の熱膨張係数を有する第１の材料から作られ、前記リムが、前記第１の熱膨張係数より小さい第２の熱膨張係数を有する第２の材料から作られ、それにより、温度の増加が、前記１つ若しくはそれ以上のクロスメンバの長さの増加と前記リムの半径方向内方へのたわみとを引き起こし、前記バランスホイールの慣性モーメントの減少を引き起こすことを特徴とする請求項１３に記載のバランスホイール。
【請求項１８】
非磁気感受性タイミングウェイトの形態にて、前記リムに対して少なくとも２つの付属物が存在することを特徴とする請求項１７に記載のバランスホイール。
【請求項１９】
前記第２の熱膨張係数が、負であることを特徴とする請求項１７又は１８に記載のバランスホイール。
【請求項２０】
前記第１の熱膨張係数が、６×１０−６Ｋ−１より小さいことを特徴とする請求項１７〜１９のいずれか一に記載のバランスホイール。
【請求項２１】
前記１つ若しくはそれ以上のクロスメンバ上に配置される１つ若しくはそれ以上の付属物が存在し、前記１つ若しくはそれ以上の付属物が、軸状部と、前記軸状部上にある偏心ヘッドとを有し、前記軸状部は、前記バランスホイールの回転軸に平行な軸のまわりに回転できるように前記バランスホイールの開口部内に回転可能に取り付けられ、それにより、前記偏心ヘッドを回転することにより調整される前記バランスホイールの慣性モーメントを小さくすることができることを特徴とする請求項１７〜２０のいずれか一に記載のバランスホイール。
【請求項２２】
前記第２の熱膨張係数が、正であり、前記第１の熱膨張係数より大きく、それにより、前記凹状セグメントが、温度の増加とともに半径方向内方へさらに延びるように配置され、前記バランスホイールの慣性モーメントの減少を引き起こすことを特徴とする請求項１４に記載のバランスホイール。
【請求項２３】
非磁気感受性タイミングウェイトの形態にて、前記凹状セグメントに対して複数の付属物が存在することを特徴とする請求項２２に記載のバランスホイール。
【請求項２４】
前記第１の熱膨張係数が、負であり、それにより、前記１つ若しくはそれ以上のクロスメンバの長さが、温度の増加とともに減少し、前記バランスホイールの慣性モーメントの減少を引き起こすことを特徴とする請求項２２又は２３に記載のバランスホイール。
【請求項２５】
請求項１２〜２４のいずれか一に記載のバランスホイールと、前記バランスホイールと一体的に形成されるバランススタッフとを備えていることを特徴とするバランスホイールアッセンブリ。
【請求項２６】
前記バランスホイールとバランススタッフが、セラミック材料から形成されることを特徴とする請求項２５に記載のバランスホイールアッセンブリ。
【請求項２７】
前記バランススタッフが、前記バランスホイールリムを支持するように配置される１つ若しくはそれ以上のクロスメンバと一体的に形成されることを特徴とする請求項２５又は２６に記載のバランスホイールアッセンブリ。
【請求項２８】
請求項２６に記載のバランスホイールアッセンブリを形成する方法であって、前記バランススタッフとバランスホイールとがグリーン状態にある場合に、前記バランススタッフとバランスホイールとをともに取り付けるステップと、前記バランススタッフとバランスホイールとをともに固定するために結合又は熱処理プロセスを使用するステップとを備えていることを特徴とする方法。
【請求項２９】
前記バランスリムと前記１つ若しくはそれ以上のクロスメンバとがグリーン状態にある場合に、結合又は熱処理によって前記バランスリムを前記１つ若しくはそれ以上のクロスメンバに取り付けることにより、請求項２７に記載のバランスホイールアッセンブリを形成する方法。
【請求項３０】
時計装置又は他の精密器械に使用するための機械式振動システムであって、平らな渦巻状又は螺旋状の形態の非磁性バランススプリングと、非磁性バランスホイールとを備え、
前記バランススプリングが、セラミック材料又は連続繊維を有する材料から形成され、前記バランスホイールが、６×１０−６Ｋ−１より小さい熱膨張係数を有する材料から形成され、前記バランスホイールが、前記バランスホイールの慣性モーメントに対する調整を行うための複数の非磁性の平衡又は計時付属物を更に備えていることを特徴とする機械式振動システム。
【請求項３１】
前記付属物が、前記バランスホイールと平衡するように配置されることを特徴とする請求項３０に記載の機械式振動システム。
【請求項３２】
１つ若しくはそれ以上の前記付属物が、軸状部と、前記軸状部上にある偏心ヘッドとを有する調整部材であり、前記軸状部は、前記バランスホイールの回転軸に平行な軸のまわりに回転できるように前記バランスホイールの開口部内に回転可能に取り付けられ、それにより、前記偏心ヘッドを回転することにより調整される前記バランスホイールの慣性モーメントを小さくすることができることを特徴とする請求項３０又は３１に記載の機械式振動システム。
【請求項３３】
請求項２５〜２７のいずれか一に記載のアッセンブリを有することを特徴とする請求項３０又は３１に記載の機械式振動システム。